(57)【要約】【課題】外側紙に比べて内側紙の縦横の寸法が小さくなることがない配達用冊子及び配達用冊子の製造方法を提供する点にある。【解決手段】折り目を境として表表紙３及び裏表紙４とからなる外側紙５と２つ折り状態の単又は複数の内側紙６，７とを、それらのうちの少なくとも一方の折り目部分に備えさせた接着剤層にて接着して冊子を構成し、前記表表紙３又は裏表紙４の見開き側端を延出し、その延出部４Ａを内側紙４の見開き側端に沿わせながら該延出部４Ａの先端を前記裏表紙４又は表表紙３の表面に当て付けて接着することにより、前記冊子を綴じた。【選択図】図１
2006150952.tif 000002
【特許請求の範囲】
【請求項１】
折り目を境として表表紙及び裏表紙とからなる外側紙と２つ折り状態の単又は複数の内側紙とを、それらのうちの少なくとも一方の折り目部分に備えさせた接着剤層にて接着して冊子を構成し、前記表表紙又は裏表紙の見開き側端を延出し、その延出部を内側紙の見開き側端に沿わせながら該延出部の先端を前記裏表紙又は表表紙の表面に当て付けて接着することにより、前記冊子を綴じたことを特徴とする配達用冊子。
【請求項２】
前記延出部を前記外側紙の縦寸法のほぼ全域に渡る縦寸法を有するものでなる請求項１に記載の配達用冊子。
【請求項３】
前記延出部と前記裏表紙又は表表紙との接触面のうちの、該延出部の横幅方向ほぼ中央部に該延出部の縦寸法のほぼ全域に渡る縦長状の接着剤層を備えさせてなる請求項１又は２に記載の配達用冊子。
【請求項４】
前記延出部と前記表表紙又は裏表紙との境界部に該延出部を切り取るための切取線を形成してなる請求項１〜３のいずれかに記載の配達用冊子。
【請求項５】
前記裏表紙又は表表紙に、ハガキ又はカードを構成するための切取線を備えさせてなる請求項１〜４のいずれかに記載の配達用冊子。
【請求項６】
一枚の矩形状の紙片を縦方向でほぼ２分割するための第１折り部と横方向で少なくともほぼ２分割するための第２折り部とを備え、前記紙片を構成する４辺の横方向の２辺のうちの１辺の端から最も近い位置にある第２折り部近傍位置までの辺部に、該紙片を第２折り部にて二つ折り又は３つ以上に巻き折りしてから、第１折り部にて内折りして折り畳まれた開口端を閉じるための綴じ代を備えさせてなる紙体を用い、前記紙体の第１折り部上の一部又は全部に接着剤を塗布する第１接着剤塗布工程と、前記接着剤塗布工程にて接着剤が塗布された紙体を前記第２折り部にて二つ折り又は３つ以上に巻き折りする第１折り工程と、前記第１折り工程にて二つ折り又は３つ以上に巻き折りされた紙体を前記第１折り部にて内折りする第２折り工程と、前記第２折り工程にて内折りされて折り畳まれた紙体の外表面のうちの綴じ代側端に接着剤を塗布する第２接着剤塗布工程と、前記第２接着剤塗布工程にて接着剤が塗布された接着剤塗布部に前記綴じ代を折り返して被せることにより前記紙体の開口端を綴じるための綴じ工程と、前記綴じ代の長手方向両端のうちの少なくとも一端を切り落とすための切断工程とを備えたことを特徴とする配達用冊子の製造方法。
【発明の詳細な説明】
【技術分野】
【０００１】
本発明は、開封後において冊子として利用することができるだけでなく、メール便、宅配便、郵便などを利用して配達することができる配達用冊子及び配達用冊子の製造方法に関する。
【背景技術】
【０００２】
近年においては、多くの情報が記載された商品カタログなどを個人や会社に郵便や宅配便あるいはメール便などを利用して配達するようにしている。そして、前記商品カタログを封筒に一旦入れてから配達する形態にすると、配達先が多数有る場合に、商品カタログを封筒に入れる作業が非常に手間のかかる煩わしい作業となるため、例えば商品カタログなどの冊子の見開き側を綴じると共に表紙に宛名を記載して、配達するものが提案されている（例えば、特許文献１参照）。
【特許文献１】実開平５−６３８７９号公報（図１〜図３参照）
【発明の開示】
【発明が解決しようとする課題】
【０００３】
上記特許文献１の配達用冊子では、外側紙を構成する表紙と裏紙それぞれの見開き側端を延出させ、それら延出部を重ね合わせ、それら両者の接触面に介在させた接着剤にて延出部を接着することによって、外側紙の内部に備えさせた内側紙を綴じることができるようにしている。この構成によれば、重ね合わせて接着される延出部が内側紙の見開き端から大きく前方に位置している状態になっていることから、内側紙の大きさに比べて外側紙である表紙及び裏紙が大きくなってしまう。このため、縦横の寸法サイズが限定される配達方式では、外側紙に比べて内側紙の縦横の寸法を小さくしなければならないことになり、宣伝広告面を最大限確保することができない不都合が発生していた。尚、延出部の接着を容易に行うことができるように接着面と外側紙の見開き側端との間をある程度長く保つ必要があることから、延出部の出っ張り方向の寸法（横寸法）を小さくすることができず、前記不都合をさらに顕著にするものであった。
【０００４】
本発明が前述の状況に鑑み、解決しようとするところは、外側紙に比べて内側紙の縦横の寸法が小さくなることがない配達用冊子及び配達用冊子の製造方法を提供する点にある。
【課題を解決するための手段】
【０００５】
本発明は、前述の課題解決のために、折り目を境として表表紙及び裏表紙とからなる外側紙と２つ折り状態の単又は複数の内側紙とを、それらのうちの少なくとも一方の折り目部分に備えさせた接着剤層にて接着して冊子を構成し、前記表表紙又は裏表紙の見開き側端を延出し、その延出部を内側紙の見開き側端に沿わせながら該延出部の先端を前記裏表紙又は表表紙の表面に当て付けて接着することにより、前記冊子を綴じて、配達用冊子を構成した。
上記のように表表紙又は裏表紙の見開き側端を延出し、その延出部を内側紙の見開き側端に沿わせながら該延出部の先端を前記裏表紙又は表表紙の表面に当て付けて接着することによって、表表紙及び裏表紙の縦横の寸法と内側紙の縦横の寸法とをほぼ同一にすることが可能になる。そして、配達された配達用冊子の開封は、視認し易い表表紙の見開き側端に接着した延出部を開けるだけで実現することができるが、表表紙の見開き側端に接着した延出部を開けて配達用冊子を開封することもできる。
【０００６】
前記延出部を前記外側紙の縦寸法のほぼ全域に渡る縦寸法を有するものであってもよい。
【０００７】
前記延出部と前記裏表紙又は表表紙との接触面のうちの、該延出部の横幅方向ほぼ中央部に該延出部の縦寸法のほぼ全域に渡る縦長状の接着剤層を備えさせてもよい。
【０００８】
前記延出部と前記表表紙又は裏表紙との境界部に該延出部を切り取るための切取線を形成してもよい。
【０００９】
前記裏表紙又は表表紙に、ハガキ又はカードを構成するための切取線を備えさせてもよい。
【００１０】
一枚の矩形状の紙片を縦方向でほぼ２分割するための第１折り部と横方向で少なくともほぼ２分割するための第２折り部とを備え、前記紙片を構成する４辺の横方向の２辺のうちの１辺の端から最も近い位置にある第２折り部近傍位置までの辺部に、該紙片を第２折り部にて二つ折り又は３つ以上に巻き折りしてから、第１折り部にて内折りして折り畳まれた開口端を閉じるための綴じ代を備えさせてなる紙体を用い、前記紙体の第１折り部上の一部又は全部に接着剤を塗布する第１接着剤塗布工程と、前記接着剤塗布工程にて接着剤が塗布された紙体を前記第２折り部にて二つ折り又は３つ以上に巻き折りする第１折り工程と、前記第１折り工程にて二つ折り又は３つ以上に巻き折りされた紙体を前記第１折り部にて内折りする第２折り工程と、前記第２折り工程にて内折りされて折り畳まれた紙体の外表面のうちの綴じ代側端に接着剤を塗布する第２接着剤塗布工程と、前記第２接着剤塗布工程にて接着剤が塗布された接着剤塗布部に前記綴じ代を折り返して被せることにより紙体の開口端を綴じるための綴じ工程と、前記綴じ代の長手方向両端のうちの少なくとも一端を切り落とすための切断工程とを備えたことを特徴とする配達用冊子の製造方法である。
【発明の効果】
【００１１】
表表紙又は裏表紙の見開き側端を延出し、その延出部を内側紙の見開き側端に沿わせながら延出部の先端を裏表紙又は表表紙の表面に当て付けて接着する構成とすることによって、外側紙に比べて内側紙の縦横の寸法が小さくなることがなく、表表紙及び裏表紙の縦横の寸法と内側紙の縦横の寸法とをほぼ同一にすることが可能になる。従って、縦横の寸法制限のある配達方法であっても、最大限度となる寸法の内側紙に構成することができるから、内側紙に最大限の宣伝広告を記載することができ、販促効果を高めることができる配達用冊子を提供することができる。そして、配達用冊子が配達されたときに、最も確認する表表紙の見開き側端に延出部を接着することによって、配達用冊子を開封する可能性を高めることができ、より一層販促効果を高めることができる配達用冊子を提供することができる。
【００１２】
延出部を外側紙の縦寸法のほぼ全域に渡る縦寸法を有するものから構成することによって、外側紙の縦寸法よりも短い寸法に構成した場合に比べて、配達中に内側紙の見開き側端が汚れることを阻止することができるだけでなく、表表紙の表面との接着面積を増大させて延出部が容易に外れることを回避することができる。
【００１３】
延出部と裏表紙又は表表紙との接触面のうちの、延出部の横幅方向ほぼ中央部に延出部の縦寸法のほぼ全域に渡る縦長状の接着剤層を備えさせることによって、延出部の先端の内面と裏表紙又は表表紙の表面との間に指を差し込んで延出部の先端を迅速に掴んで延出部を取り外すことができる。
【００１４】
延出部と表表紙又は裏表紙との境界部に延出部を切り取るための切取線を形成することによって、開封後において不要となった延出部を切取線を介して取り外すことができ、冊子として使用することができる。
【００１５】
裏表紙又は表表紙に、ハガキ又はカードを構成するための切取線を備えさせることによって、ハサミなどを使用することがなく、裏表紙からハガキやカードを迅速に取り外すことができる。ここで言うハガキは、例えば商品を注文するためやアンケートに答えるためなどに用いるハガキを指し、カードは、例えば会員カードや割引カードなどを指すものとする。
【００１６】
第１接着剤塗布工程と、第１折り工程と、第２折り工程と、第２接着剤塗布工程と、綴じ工程と、切断工程とを備えた配達用冊子の製造方法を用いることによって、一枚の紙体を折り畳んで切断するための簡単な作業工程で配達用冊子を容易迅速に製造することができる。
【発明を実施するための最良の形態】
【００１７】
図１（ａ），（ｂ）及び図２に、メール便又は郵便あるいは宅配便を利用して配達可能な配達用冊子１を示している。図の配達用冊子１は、紙製のものであるが、プラスチック製のものであってもよい。又、前記配達用冊子１の縦横サイズをＡ４版サイズに構成することによって、一冊８０円のメール便にて配達することができ、好ましいが、他のサイズのものであってもよい。又、前記配達用冊子１を定型郵便物（例えば葉書や封筒）として配達することができるように長さ１４〜２３．５、幅９〜１２ｃｍ、厚さ１ｃｍ以下、重量５０ｇ以下の範囲のものであってもよい。
【００１８】
図１〜図３に示すように、前記配達用冊子１は、折り目２を境として表表紙３及び裏表紙４とからなる外側紙５と２つ折り状態の２枚（１枚又は３枚以上であってもよい）の内側紙６，７とを、それらのうちの少なくとも一方の折り目２に備えさせた接着剤層８，９にて接着して冊子を構成している。そして、前記宛名書きをしない裏表紙４（場合によっては裏表紙に宛名書きをしてもよい）の見開き側端を延出し、その延出部４Ａを内側紙６，７の見開き側端６Ｔ，６Ｔ、７Ｔ，７Ｔに沿わせながら該延出部４Ａの先端を前記表表紙３の表面に当て付けて接着することにより、前記冊子を綴じるようにしている。前記見開き側端とは、綴じ側とは反対側の冊子を開く側の縦方向の辺（端）のことを指すものとする。前記表表紙３に宛名を印刷又は宛名が印刷されたシールを貼ることになる。又、前記裏表紙４及び内側紙６，７の両面それぞれを文字や図形（図面）又は写真を印刷して商品広告紙として利用できるようにしている。尚、メール便や宅配便の場合には、表表紙３にも宣伝広告を印刷してもよい。図５に、一枚の内側紙６のみを用いて配達用冊子１を構成したものを示している。ここでは、裏表紙４の見開き側端に延出部４Ａを備えさせた場合を示しているが、表表紙３の見開き側端に延出部を備えさせて実施することもできる。
図３に示すように、前記接着剤層８，９が折り目２から左右の見開き側に大きく張り出すことがないように接着剤層８，９の接着面積を小さく抑えることによって、図３に示すように、線状の折り目２を境として外側紙５及び内側紙６，７を開くことが可能になり、内側の印刷面を多く確保することができ好ましいが、図３よりも左右幅の広い接着面積に構成してもよい。尚、図２では、後述する切取線１１を分かり易くするために切取線１１の部分で外側紙５を折って開いた状態を示したが、図３のように、線状の折り目２を境として外側紙５を開いた状態にすることもできる。
【００１９】
前記延出部４Ａを前記外側紙５の縦寸法のほぼ全域に渡る縦寸法を有するものに構成することによって、外側紙５の縦寸法よりも短い寸法に構成した場合に比べて、配達中に内側紙６，７の見開き側端６Ｔ，７Ｔが汚れることを阻止することができるだけでなく、表表紙３の表面３Ａとの接着面積を増大させて延出部４Ａが容易に外れることを回避することができる利点があるが、延出部４Ａを前記外側紙５の縦寸法よりも小さな寸法に構成して実施することもできる。
【００２０】
図１（ａ）及び図４に示すように、前記延出部４Ａと前記表表紙３との接触面のうちの、該延出部４Ａの横幅方向ほぼ中央部に該延出部４Ａの縦寸法のほぼ全域に渡る縦長状の接着剤層１０を備えさせることによって、延出部４Ａの先端の内面４ａと表表紙３の表面３Ａとの間に指を差し込んで延出部４Ａの先端を迅速に掴んで延出部４Ａを取り外すことができる利点があるが、延出部４Ａの内面の全面を表表紙３の表面３Ａに接着剤にて固定してもよい。図１（ａ）では、前記接着剤層１０を表表紙３側に備えさせた場合を示しているが、延出部４Ａ側に備えさせてもよいし、又、表表紙３及び延出部４Ａの両方に備えさせて実施することもできる。尚、前記延出部４Ａを表表紙３に備えさせる場合には、裏表紙４に前記接着剤層１０を備えさせることになる。
【００２１】
前記延出部４Ａと前記裏表紙４との境界部に該延出部４Ａを切り取るための切取線４Ｈを縦方向に形成することによって、開封後において不要となった延出部４Ａを切取線４Ｈを介して切り離すことができ、冊子として良好に使用することができるが、切取線４Ｈは必ずしも必要ではない。前記切取線４Ｈを省略する場合には、延出部４Ａを裏表紙４の内面に折り返しておけば、邪魔にならない。尚、前記延出部４Ａを表表紙３に備えさせる場合には、前記延出部４Ａと表表紙３との境界部に該延出部４Ａを切り取るための切取線を備えさせることになる。
【００２２】
前記裏表紙４（表表紙３でもよい）に、ハガキ又はカードを構成するための縦方向に２本及び横方向に１本の切取線１１，１２を備えさせることによって、ハサミなどを使用することがなく、裏表紙４からハガキやカードを迅速に取り外すことができる。ここでは４枚の同一の大きさのハガキ１３を構成することができるようになっているが、大きさ及び枚数は、使用目的などに応じて自由に変更することができる。前記ハガキは、商品注文用として利用したり、アンケート用に利用することができる。又、カードは、会員カードや割引カードなどに利用することができる。
【００２３】
図５で示した配達用冊子１を製造する方法を、図６（ａ）〜（ｇ）に示している。つまり、図６（ａ）に示すように、一枚の矩形状（長方形）の紙片１４を縦方向（長手方向）でほぼ２分割するための１本の第１折り部１５と横方向（短手方向）で少なくともほぼ２分割するための１本の第２折り部１６とを備え、前記紙片１４を構成する４辺１４Ａ，１４Ｂ，１４Ｃ，１４Ｄの横方向の２辺のうちの１辺１４Ｄの端から最も近い位置にある第２折り部近傍位置までの辺部１４ｄに、該紙片１４を第２折り部１６にて二つ折りしてから、第１折り部１５にて内折りして折り畳まれた開口端を閉じるための綴じ代１７を備えさせてなる紙体を用い、図６（ｂ）に示すように、前記紙体の第１折り部１５上の一部（ここでは重ね合わせ紙片同士の一方のみに接着剤が存在するように長手方向ほぼ半分であるが、全部でもよい）に糊などの接着剤１８を塗布する第１接着剤塗布工程と、図６（ｃ）に示すように、前記接着剤塗布工程にて接着剤１８が塗布された紙体を前記第２折り部１６にて二つ折りする第１折り工程と、図６（ｄ）に示すように、前記第１折り工程にて二つ折りされた紙体を前記第１折り部１５にて内折りする第２折り工程と、図６（ｅ）に示すように、前記第２折り工程にて内折りされて折り畳まれた紙体の外表面のうちの綴じ代１７側端に接着剤１９を綴じ代とほぼ同一面積分塗布する第２接着剤塗布工程と、図６（ｆ）に示すように、前記第２接着剤塗布工程にて接着剤１９が塗布された接着剤塗布部に前記綴じ代１７を折り返して被せることにより紙体の開口端を綴じるための綴じ工程と、図６（ｇ）に示すように、前記綴じ代１７の長手方向両端のうちの一端を切り落とすための（両端を切り落としても良い）切断工程とを備えさせて、配達用冊子１を製造する製造方法を構成している。この切断工程は、綴じ代１７を外した時に、図６（ｇ）では表表紙３、裏表紙４、２枚の内側紙が下端側で繋がっている状態を、切断することによって、独立した４枚にすることで一枚一枚捲ることができるようにする主目的だけでなく、端を揃える目的と、縦方向の寸法の調節の目的、内部の印刷の余白部分の切除の目的などで使用されるものである。図６では、前記折り部１５，１６をわかりやすくするために２点鎖線で示しているが、実際には機械で折るため、折り部１５，１６は一切目視できないものである。前記２つの接着剤１８，１９を同一のものから構成する他、一方の接着剤１８に対して他方の接着剤１９を接着力の弱いものから構成しておけば、開封時に綴じ代１７を剥がし易い利点がある。
【００２４】
図１〜図４で示した配達用冊子１を製造する方法を、図７（ａ）〜（ｇ）に示している。つまり、図７（ａ）に示すように、一枚の矩形状の紙片１４を縦方向でほぼ２分割するための１本の第１折り部１５と横方向でほぼ３分割するための複数本（図では２本であるが、３本以上でもよい）の第２折り部１６Ａ，１６Ｂとを備え、前記紙片１４を構成する４辺１４Ａ，１４Ｂ，１４Ｃ，１４Ｄの横方向の２辺のうちの１辺１４Ｄの端から最も近い位置にある第２折り部１６Ａ近傍位置までの辺部１４ｄに、該紙片１４を第２折り部１６Ａ，１６Ｂにて３つに巻き折りしてから、第１折り部１５にて内折りして折り畳まれた開口端を閉じるための綴じ代１７を備えさせてなる紙体を用い、図７（ｂ）に示すように、前記紙体の第１折り部１５上の一部（ここでは重ね合わせ紙片同士の一方のみに接着剤が存在するように長手方向ほぼ三分の二にしているが、全部に塗布してもよい）に接着剤１８を塗布する第１接着剤塗布工程と、図７（ｃ）に示すように、前記接着剤塗布工程にて接着剤１８が塗布された紙体を前記第２折り部１６Ａ，１６Ｂにて３つに巻き折りする第１折り工程と、図７（ｄ）に示すように、前記第１折り工程にて３つに巻き折りされた紙体を前記第１折り部１５にて内折りする第２折り工程と、図７（ｅ）に示すように、前記第２折り工程にて内折りされて折り畳まれた紙体の外表面のうちの綴じ代１７側端に接着剤１９を塗布する第２接着剤塗布工程と、図７（ｆ）に示すように、前記第２接着剤塗布工程にて接着剤１９が塗布された接着剤塗布部に前記綴じ代１７を折り返して被せることにより紙体の開口端を綴じるための綴じ工程と、図７（ｇ）に示すように、前記綴じ代１７の長手方向両端を切り落とすための切断工程とを備えさせて、配達用冊子１を製造する製造方法を構成している。この切断工程は、綴じ代１７を外した時に、図７（ｇ）では表表紙３、裏表紙４、４枚の内側紙が上端側及び下端側の両方で繋がっている状態を、切断することによって、独立した６枚にすることで一枚一枚捲ることができるようにする主目的だけでなく、端を揃える目的と、縦方向の寸法の調節の目的、内部の印刷の余白部分の切除の目的などで使用されるものである。図７では、前記折り部１５，１６Ａ，１６Ｂをわかりやすくするために２点鎖線で示しているが、実際には機械で折るため、折り部１５，１６Ａ，１６Ｂは一切目視できないものである。前記２つの接着剤１８，１９を同一のものから構成する他、一方の接着剤１８に対して他方の接着剤１９を接着力の弱いものから構成しておけば、開封時に綴じ代１７を剥がし易い利点がある。前記巻き折りは長手方向一端から第１折り部１６Ｂを介して他端側に折った後、一端となる第１折り部１６Ｂから第２折り部１６Ａを介して他端側へ折って畳むことである。又、ここでは、３つの巻き折りを示しているが、４つ以上の巻き折りをしてもよい。
【図面の簡単な説明】
【００２５】
【図１】配達用冊子の斜視図を示し、（ａ）は延出部を折り返す直前の状態を示し、（ｂ）は延出部を折り返して配達可能な状態を示している。
【図２】配達用冊子を開いた状態を示す斜視図である。
【図３】配達用冊子を特定角度開いた状態を示す横断平面図である。
【図４】折り返した延出部付近の横断平面図である。
【図５】一枚の内側紙にて構成された別の配達用冊子を開いた状態を示す斜視図である。
【図６】図５で示した配達用冊子の製造方法の説明図であり、（ａ）は一枚の紙体を示し、（ｂ）は、第１接着剤塗布工程を示し、（ｃ）は、第１折り工程を示し、（ｄ）は第２折り工程を示し、（ｅ）は、第２接着剤塗布工程を示し、（ｆ）は、綴じ工程を示し、（ｇ）は、切断工程を示している。
【図７】図１で示した配達用冊子の製造方法の説明図であり、（ａ）は一枚の紙体を示し、（ｂ）は、第１接着剤塗布工程を示し、（ｃ）は、第１折り工程を示し、（ｄ）は第２折り工程を示し、（ｅ）は、第２接着剤塗布工程を示し、（ｆ）は、綴じ工程を示し、（ｇ）は、切断工程を示している。
【符号の説明】
【００２６】
１  配達用冊子
２  折り目
３  表表紙
３Ａ  表面
４Ａ  延出部
４Ｈ  切取線
４ａ  内面
４  裏表紙
５  外側紙
６Ｔ，７Ｔ  側端
６Ｔ，７Ｔ  側端
６，７  内側紙
８，９  接着剤層
１０  接着剤層
１１，１２  切取線
１３  ハガキ
１４  紙片
１４Ａ〜１４Ｄ  辺
１４ｄ  辺部
１５  折り部
１６，１６Ａ，１６Ｂ  折り部
１７  綴じ代
１８，１９  接着剤
【図１】
2006150952.tif 000003
【図２】
2006150952.tif 000004
【図３】
2006150952.tif 000005
【図４】
2006150952.tif 000006
【図５】
2006150952.tif 000007
【図６】
2006150952.tif 000008
【図７】
2006150952.tif 000009